(57)【要約】【課題】ヘッドマウントディスプレイの操作を容易にする。【解決手段】ユーザからの切り替え要求が発生したかを判定する判定部２４１と、判定部２４１によって切り替え要求が発生したと判定され、ヘッドマウントディスプレイにおいて第１の映像が表示されている場合に、第１の映像を非表示にする第１制御部２４２と、判定部２４１によって切り替え要求が発生したと判定され、操作端末において第２の映像が非表示である場合に、第２の映像を表示する第２制御部２４３と、を備える。【選択図】図３
2019074917.tif 000002
【特許請求の範囲】
【請求項１】
第１の映像を表示可能なヘッドマウントディスプレイと、第２の映像を表示可能な操作端末と、を有する表示システムであって、
ユーザからの切り替え要求が発生したかを判定する判定部と、
前記判定部によって前記切り替え要求が発生したと判定され、前記ヘッドマウントディスプレイにおいて前記第１の映像が表示されている場合に、前記第１の映像を非表示にする第１制御部と、
前記判定部によって前記切り替え要求が発生したと判定され、前記操作端末において前記第２の映像が非表示である場合に、前記第２の映像を表示する第２制御部と、
を備える、表示システム。
【請求項２】
前記第１制御部は、前記判定部によって前記切り替え要求が発生したと判定され、前記ヘッドマウントディスプレイにおいて前記第１の映像が非表示である場合に、前記第１の映像を表示し、
前記第２制御部は、前記判定部によって前記切り替え要求が発生したと判定され、前記操作端末において前記第２の映像が表示されている場合に、前記第２の映像を非表示にする、
請求項１に記載の表示システム。
【請求項３】
前記第１制御部及び前記第２制御部は、前記第１の映像と前記第２の映像とを排他的に表示する、
請求項１又は２に記載の表示システム。
【請求項４】
前記ヘッドマウントディスプレイは、前記第１の映像を表示可能な第１表示部を備え、
前記操作端末は、前記第２の映像を表示可能な第２表示部を備え、
前記第１制御部は、前記第１表示部への給電を停止することにより、前記第１の映像を非表示にし、
前記第２制御部は、前記第２表示部への給電を停止することにより、前記第２の映像を非表示にする、
請求項２に記載の表示システム。
【請求項５】
前記ユーザからの入力を受け付ける入力部を更に備え、
前記判定部は、前記入力部によって受け付けられた入力に基づき、前記切り替え要求が発生したかを判定する、
請求項１〜４のいずれか１項に記載の表示システム。
【請求項６】
第１の映像を表示可能なヘッドマウントディスプレイに接続される操作端末であって、
第２の映像を表示可能な表示部と、
ユーザからの切り替え要求が発生し、前記表示部において前記第２の映像が非表示である場合に、前記第２の映像を前記第１の映像とは排他的に前記表示部において表示する制御部と、
を備える、操作端末。
【請求項７】
前記制御部は、前記切り替え要求が発生し、前記表示部において前記第２の映像が表示されている場合に、前記第２の映像を前記第１の映像とは排他的に前記表示部において非表示にする、
請求項６に記載の操作端末。
【請求項８】
第２の映像を表示可能な操作端末に接続されるヘッドマウントディスプレイであって、
第１の映像を表示可能な表示部と、
ユーザからの切り替え要求が発生し、前記表示部において前記第１の映像が表示されている場合に、前記第１の映像を前記第２の映像とは排他的に前記表示部において非表示にする制御部と、
を備える、ヘッドマウントディスプレイ。
【請求項９】
前記制御部は、前記切り替え要求が発生し、前記表示部において前記第１の映像が非表示である場合に、前記第１の映像を前記第２の映像とは排他的に前記表示部において表示する、
請求項８に記載のヘッドマウントディスプレイ。
【請求項１０】
第１の映像を表示可能なヘッドマウントディスプレイと、第２の映像を表示可能な操作端末と、を有する表示システムに備えられるコンピュータに、
ユーザからの切り替え要求が発生したかを判定し、
前記切り替え要求が発生したと判定され、前記ヘッドマウントディスプレイにおいて前記第１の映像が表示されている場合に、前記第１の映像を非表示にし、
前記切り替え要求が発生したと判定され、前記操作端末において前記第２の映像が非表示である場合に、前記第２の映像を表示する、
処理を実行させる、表示制御プログラム。
【請求項１１】
第１の映像を表示可能なヘッドマウントディスプレイと、第２の映像を表示可能な操作端末と、を有する表示システムの制御方法であって、
ユーザからの切り替え要求が発生したかを判定し、
前記切り替え要求が発生したと判定され、前記ヘッドマウントディスプレイにおいて前記第１の映像が表示されている場合に、前記第１の映像を非表示にし、
前記切り替え要求が発生したと判定され、前記操作端末において前記第２の映像が非表示である場合に、前記第２の映像を表示する、
制御方法。
【発明の詳細な説明】
【技術分野】
【０００１】
本発明は、表示システム、操作端末、ヘッドマウントディスプレイ、表示制御プログラム及び制御方法に関する。
【背景技術】
【０００２】
近年、ユーザの身体に装着して使用する様々なウェアラブル端末が開発されている。ウェアラブル端末の種類の１つとして、Head Mounted Display（ＨＭＤ）がある。
【０００３】
ＨＭＤは、ユーザの頭部に装着する、例えば眼鏡型やゴーグル型の装置である。ＨＭＤがユーザの頭部に装着されることにより、ＨＭＤに備えられるディスプレイ部がユーザの眼前に位置し、ユーザはディスプレイ部に表示された映像を視認できる。
【０００４】
ＨＭＤには、ＨＭＤを操作する端末として、Hand Held Device（ＨＨＤ）が接続されてもよい。
【０００５】
ＨＭＤを操作するためのユーザインタフェースには、例えば、音声入力や物理ボタン入力，タッチパッド入力がある。なお、タッチパッド入力は、一般的なノート型パーソナルコンピュータ等に搭載されるポインティングデバイスにより、画面上に表示されるポインタを操作する入力方式と同様の入力方式を示している。
【０００６】
これらのユーザインタフェースは、ＨＭＤにおいて機能してもよいし、ＨＭＤに接続されたＨＨＤにおいて機能してもよい。ユーザインタフェースがＨＭＤにおいて機能する場合には、ユーザは、ＨＭＤに対して直接、ＨＭＤに対する入力操作を行なう。一方、ユーザインタフェースがＨＨＤにおいて機能する場合には、ユーザは、ＨＨＤを介して、ＨＭＤに対する入力操作を行なう。
【先行技術文献】
【特許文献】
【０００７】
【特許文献１】特開２０１３−１９７６３７号公報
【特許文献２】特開２００６−１８９４７６号公報
【発明の概要】
【発明が解決しようとする課題】
【０００８】
しかしながら、騒音のある場所では音声入力が困難だったり、公共の場所での音声入力に抵抗を持つユーザが存在したりするおそれがある。また、近年においては、スマートフォンやタブレット端末のタッチパネルの操作に慣れたユーザにとっては、物理ボタンやタッチパッドによる操作に煩わしさを感じるおそれがある。
【０００９】
１つの側面では、ヘッドマウントディスプレイの操作を容易にすることを目的とする。
【課題を解決するための手段】
【００１０】
表示システムは、第１の映像を表示可能なヘッドマウントディスプレイと、第２の映像を表示可能な操作端末と、を有する表示システムであって、ユーザからの切り替え要求が発生したかを判定する判定部と、前記判定部によって前記切り替え要求が発生したと判定され、前記ヘッドマウントディスプレイにおいて前記第１の映像が表示されている場合に、前記第１の映像を非表示にする第１制御部と、前記判定部によって前記切り替え要求が発生したと判定され、前記操作端末において前記第２の映像が非表示である場合に、前記第２の映像を表示する第２制御部と、を備える。
【発明の効果】
【００１１】
１つの側面では、ヘッドマウントディスプレイの操作を容易にすることができる。
【図面の簡単な説明】
【００１２】
【図１】（ａ）は実施形態の一例としての表示システムの構成例を示す図であり、（ｂ）はその装着例を示す図である。
【図２】図１に示した表示システムの機能構成を模式的に示す図である。
【図３】図２に示した演算部の機能構成を模式的に示す図である。
【図４】実施形態の一例における表示システムの動作例を示すフローチャートである。
【図５】変形例としての表示システムの機能構成を模式的に示す図である。
【発明を実施するための形態】
【００１３】
以下、図面を参照して一実施の形態を説明する。ただし、以下に示す実施形態はあくまでも例示に過ぎず、実施形態で明示しない種々の変形例や技術の適用を排除する意図はない。すなわち、本実施形態を、その趣旨を逸脱しない範囲で種々変形して実施することができる。
【００１４】
また、各図は、図中に示す構成要素のみを備えるという趣旨ではなく、他の機能等を含むことができる。
【００１５】
以下、図中において、同一の各符号は同様の部分を示しているので、その説明は省略する。
【００１６】
〔Ａ〕実施形態の一例
〔Ａ−１〕システム構成例
図１（ａ）は、実施形態の一例としての表示システム１００の構成例を示す図である。
【００１７】
図１（ａ）に例示するように、表示システム１００は、ヘッドマウントディスプレイ（ＨＭＤ）１及びハンドヘルドデバイス（ＨＨＤ）２を備える。なお、「ＨＨＤ」は、「操作端末」と称されてもよい。
【００１８】
ＨＭＤ１とＨＨＤ２とは、通信ケーブル３を介して、有線で互いに通信可能に接続されてよい。通信ケーブル３の通信規格は、例えば、High-Definition Multimedia Interface（ＨＤＭＩ（登録商標））やUniversal Serial Bus（ＵＳＢ）であってよい。また、ＨＭＤ１とＨＨＤ２とは、無線で互いに通信可能に接続されてもよい。この場合の無線通信規格は、例えば、Wi-Fi DirectやBluetooth（登録商標）であってよい。
【００１９】
図１（ａ）に示す例では、ＨＭＤ１は、メガネ型のデバイスであり、実際のメガネにおいてレンズが取り付けられる部分に相当する部分にディスプレイ１１を備える。なお、ＨＭＤ１は、ゴーグル型のデバイスであってもよい。
【００２０】
図１（ａ）に示すように、ＨＨＤ２は、ディスプレイ２１を備える。ディスプレイ２１は、図２を用いて後述するように、Liquid Crystal Display（ＬＣＤ）２１１及びタッチパネル２１２として機能する。
【００２１】
図１（ｂ）は、実施形態の一例としての表示システム１００の装着例を示す図である。
【００２２】
図１（ｂ）に示すように、ＨＭＤ１は、ユーザ４の頭部（別言すれば、「顔」）に搭載される。この際、ＨＭＤ１のディスプレイ１１（図１（ａ）を参照）は、ユーザ４の両眼を覆うようにして搭載される。これにより、ユーザ４は、ディスプレイ１１に表示された映像を視認できる。
【００２３】
また、図１（ｂ）に示すように、ＨＨＤ２は、ユーザ４の手で把持されてよい。これにより、ユーザ４は、ＨＭＤ１を手元のＨＨＤ２を用いて操作することができる。
【００２４】
図２は、図１に示した表示システム１００の機能構成を模式的に示す図である。
【００２５】
ＨＭＤ１は、例示的に、右目用ＬＣＤ１１１，左目用ＬＣＤ１１２，ボタン制御部１２，複数（図示する例では、３つ）のボタン１２１及び通信制御部１３を備える。
【００２６】
右目用ＬＣＤ１１１及び左目用ＬＣＤ１１２は、図１（ａ）に示したディスプレイ１１に相当する。右目用ＬＣＤ１１１は、ＨＭＤ１がユーザ４の頭部に装着される際に、ユーザ４の右目を覆う位置に装着される。また、左目用ＬＣＤ１１２は、ＨＭＤ１がユーザ４の頭部に装着される際に、ユーザ４の左目を覆う位置に装着される。なお、右目用ＬＣＤ１１１及び左目用ＬＣＤ１１２は、Organic Electro-Luminescence（有機ＥＬ）ディスプレイ等の他の種類の表示装置であってもよい。
【００２７】
右目用ＬＣＤ１１１及び左目用ＬＣＤ１１２は、透過性を有してよい。すなわち、右目用ＬＣＤ１１１及び左目用ＬＣＤ１１２に映像が表示されていない状態において、ＨＭＤ１を装着したユーザ４は、右目用ＬＣＤ１１１及び左目用ＬＣＤ１１２越しに、ＨＨＤ２等の周囲の物を視認できる。また、右目用ＬＣＤ１１１及び左目用ＬＣＤ１１２が透過性を有しない場合には、ユーザ４は、自身の顔とＨＭＤ１との隙間からＨＨＤ２等の周囲の物を視認してよい。
【００２８】
右目用ＬＣＤ１１１及び左目用ＬＣＤ１１２は、後述する通信制御部１３から入力される信号に従って、映像を表示する。右目用ＬＣＤ１１１及び左目用ＬＣＤ１１２は、第１の映像を表示する第１表示部の一例として機能してよい。
【００２９】
ボタン制御部１２はＨＭＤ１に備えられる複数のボタン１２１を制御する。例えば、ボタン制御部１２は、いずれかのボタン１２１に対して入力があった場合に、当該入力があったことを示す信号を後述する通信制御部１３に受け渡す。
【００３０】
複数のボタン１２１は、ユーザ４からの入力を受け付ける物理ボタンやタッチパッドである。複数のボタン１２１のうちの１つは、ユーザ４からの、ＨＭＤ１のディスプレイ１１（図１（ａ）を参照）とＨＨＤ２のディスプレイ２１（図１（ａ）を参照）との表示の切り替え要求を受け付ける入力部の一例として機能してよい。
【００３１】
通信制御部１３は、ＨＭＤ１をＨＨＤ２と通信可能に接続し、通信ケーブル３の通信規格に準拠したインタフェースである。
【００３２】
図２に示す例において、通信制御部１３は、ボタン制御部１２からボタン１２１への入力があったことを示す信号を受け取り、通信ケーブル３を介して当該信号をＨＨＤ２へ送信する。また、通信制御部１３は、右目用ＬＣＤ１１１と左目用ＬＣＤ１１２とのそれぞれに表示させる映像を含む情報をＨＨＤ２から通信ケーブル３を介して受信し、受信した情報を右目用ＬＣＤ１１１と左目用ＬＣＤ１１２とのそれぞれに入力する。
【００３３】
ＨＨＤ２は、例示的に、ＬＣＤ２１１，タッチパネル２１２，ボタン制御部２２，複数（図示する例では、３つ）のボタン２２１，通信制御部２３及び演算部２４を備える。
【００３４】
ＬＣＤ２１１は、後述する演算部２４から入力される信号に従って、映像を表示する。ＬＣＤ２１１は、第２の映像を表示する第２表示部の一例として機能してよい。ＬＣＤ２１１は、有機ＥＬディスプレイ等の他の種類の表示装置であってよい。
【００３５】
タッチパネル２１２は、ＬＣＤ２１１と一体化されており、ユーザ４からのタッチ入力を受け付ける。タッチパネル２１２は、受け付けたタッチ入力に係る信号を後述する演算部２４へ入力する。タッチパネル２１２は、ユーザ４からの、ＨＭＤ１のディスプレイ１１（図１（ａ）を参照）とＨＨＤ２のディスプレイ２１（図１（ａ）を参照）との表示の切り替え要求を受け付ける入力部の一例として機能してよい。タッチパネル２１２が入力部の一例として機能する場合には、ディスプレイ２１が映像を非表示の期間中は、タッチパネル２１２の全領域で切り替え要求を受け付けてよい。また、タッチパネル２１２が入力部の一例として機能する場合には、ディスプレイ２１が映像を表示している期間中は、タッチパネル２１２の特定の領域で切り替え要求を受け付けてよい。
【００３６】
ボタン制御部２２は、ＨＨＤ２に備えられる複数のボタン２２１を制御する。例えば、ボタン制御部２２は、いずれかのボタン２２１に対して入力があった場合に、当該入力があったことを示す信号を後述する演算部２４に受け渡す。
【００３７】
複数のボタン２２１は、ユーザ４からの入力を受け付ける物理ボタンやタッチパッドである。複数のボタン２２１のうちの１つは、ユーザ４からの、ＨＭＤ１のディスプレイ１１（図１（ａ）を参照）とＨＨＤ２のディスプレイ２１（図１（ａ）を参照）との表示の切り替え要求を受け付ける入力部の一例として機能してよい。
【００３８】
通信制御部２３は、ＨＨＤ２をＨＭＤ１と通信可能に接続し、通信ケーブル３の通信規格に準拠したインタフェースである。
【００３９】
図２に示す例において、通信制御部２３は、ＨＭＤ１の右目用ＬＣＤ１１１及び左目用ＬＣＤ１１２に表示させる映像を含む情報を演算部２４から受け取り、通信ケーブル３を介して受け取った情報をＨＭＤ１へ送信する。
【００４０】
図３は、図２に示した演算部２４の機能構成を模式的に示す図である。
【００４１】
演算部２４は、例示的に、種々の制御や演算を行なう処理装置であり、図示しないメモリに格納されたOperating System（ＯＳ）やプログラムを実行することにより、種々の機能を実現する。すなわち、演算部２４は、図３に示すように、判定部２４１，第１制御部２４２及び第２制御部２４３として機能してよい。
【００４２】
なお、これらの判定部２４１，第１制御部２４２及び第２制御部２４３としての機能を実現するためのプログラムは、例えばフレキシブルディスク、ＣＤ（ＣＤ−ＲＯＭ、ＣＤ−Ｒ、ＣＤ−ＲＷ等）、ＤＶＤ（ＤＶＤ−ＲＯＭ、ＤＶＤ−ＲＡＭ、ＤＶＤ−Ｒ、ＤＶＤ＋Ｒ、ＤＶＤ−ＲＷ、ＤＶＤ＋ＲＷ、ＨＤ  ＤＶＤ等）、ブルーレイディスク、磁気ディスク、光ディスク、光磁気ディスク等の、コンピュータ読取可能な記録媒体に記録された形態で提供されてよい。そして、コンピュータ（本実施形態では演算部２４）は上述した記録媒体から図示しない読取装置を介してプログラムを読み取って内部記録装置または外部記録装置に転送し格納して用いてよい。また、プログラムを、例えば磁気ディスク，光ディスク，光磁気ディスク等の記憶装置（記録媒体）に記録しておき、記憶装置から通信経路を介してコンピュータに提供してもよい。
【００４３】
判定部２４１，第１制御部２４２及び第２制御部２４３としての機能を実現する際には、内部記憶装置（本実施形態では不図示のメモリ）に格納されたプログラムがコンピュータ（本実施形態では演算部２４）によって実行されてよい。また、記録媒体に記録されたプログラムをコンピュータが読み取って実行してもよい。
【００４４】
演算部２４は、表示システム１００全体の動作を制御する。演算部２４は、マルチプロセッサであってもよい。演算部２４は、例えばCentral Processing Unit（ＣＰＵ）やMicro Processing Unit（ＭＰＵ），Digital Signal Processor（ＤＳＰ），Application Specific Integrated Circuit（ＡＳＩＣ），Programmable Logic Device（ＰＬＤ），Field Programmable Gate Array（ＦＰＧＡ）のいずれか一つであってもよい。また、演算部２４は、ＣＰＵ，ＭＰＵ，ＤＳＰ，ＡＳＩＣ，ＰＬＤ，ＦＰＧＡのうちの２種類以上の要素の組み合わせであってもよい。
【００４５】
判定部２４１は、ＨＭＤ１のボタン１２１，ＨＨＤ２のボタン２２１又はタッチパネル２１２を介して、ユーザ４からの切り替え要求が発生したかを判定する。切り替え要求は、ＨＭＤ１のディスプレイ１１（図１（ａ）を参照）とＨＨＤ２のディスプレイ２１（図１（ａ）を参照）との間の表示を切り替えるための要求である。
【００４６】
第１制御部２４２は、ＨＭＤ１のディスプレイ１１（別言すれば、右目用ＬＣＤ１１１及び左目用ＬＣＤ１１２）の表示を制御する。具体的には、第１制御部２４２は、判定部２４１によって切り替え要求が発生したと判定され、ＨＭＤ１のディスプレイ１１において第１の映像が表示されている場合に、ディスプレイ１１における第１の映像を非表示にする。また、第１制御部２４２は、判定部２４１によって切り替え要求が発生したと判定され、ＨＭＤ１のディスプレイ１１において第１の映像が非表示である場合に、ディスプレイ１１において第１の映像を表示する。
【００４７】
第１制御部２４２は、ＨＭＤ１の電源部（不図示）からディスプレイ１１への給電及びクロック入力を停止することにより、ディスプレイ１１において第１の映像を非表示にしてよい。また、第１制御部２４２は、ＨＭＤ１の電源部（不図示）からディスプレイ１１への給電及びクロック入力を再開することにより、ディスプレイ１１において第１の映像を表示してよい。
【００４８】
第１の映像を非表示にする期間中にディスプレイ１１への給電及びクロック入力を停止することにより、ＨＭＤ１における電力消費量を低減できる。ただし、電力消費量の低減よりもユーザ４からの切り替え要求発生時における応答性を優先した場合には、ディスプレイ１１への給電及びクロック入力を停止させなくてもよい。
【００４９】
第２制御部２４３は、ＨＨＤ２のディスプレイ２１（別言すれば、ＬＣＤ２１１）の表示を制御する。具体的には、第２制御部２４３は、判定部２４１によって切り替え要求が発生したと判定され、ＨＨＤ２のディスプレイ２１において第２の映像が表示されている場合に、ディスプレイ２１における第２の映像を非表示にする。また、第１制御部２４２は、判定部２４１によって切り替え要求が発生したと判定され、ＨＨＤ２のディスプレイ２１において第２の映像が非表示である場合に、ディスプレイ２１において第２の映像を表示する。
【００５０】
第２制御部２４３は、ＨＨＤ２の電源部（不図示）からディスプレイ２１への給電及びクロック入力を停止することにより、ディスプレイ２１において第２の映像を非表示にしてよい。また、第２制御部２４３、ＨＨＤ２の電源部（不図示）からディスプレイ２１への給電及びクロック入力を再開することにより、ディスプレイ２１において第２の映像を表示してよい。
【００５１】
第２の映像を非表示にする期間中にディスプレイ２１への給電及びクロック入力を停止することにより、ＨＨＤ２における電力消費量を低減できる。ただし、電力消費量の低減よりもユーザ４からの切り替え要求発生時における応答性を優先した場合には、ディスプレイ２１への給電及びクロック入力を停止させなくてもよい。
【００５２】
第１制御部２４２及び第２制御部２４３は、ＨＭＤ１における第１の映像と、ＨＨＤ２における第２の映像とを、排他的に表示する。すなわち、第１制御部２４２は、第２制御部２４３によってＨＨＤ２のディスプレイ２１に第２の映像が表示されている期間においては、ＨＭＤ１のディスプレイ１１において第１の映像を非表示にする。一方、第２制御部２４３は、第１制御部２４２によってＨＭＤ１のディスプレイ１１に第１の映像が表示されている期間においては、ＨＨＤ２のディスプレイ２１において第２の映像を非表示にする。
【００５３】
〔Ａ−２〕動作例
上述した実施形態の一例における表示システム１００の動作例を、図４に示すフローチャート（ステップＳ１〜Ｓ６）に従って説明する。
【００５４】
判定部２４１は、切り替え要求の入力のためのボタン１２１又は２２１が押されたかを判定する（ステップＳ１）。なお、切り替え要求の入力をタッチパネル２１２への入力とする場合には、判定部２４１は、タッチパネル２１２が押されたかを判定してもよい。
【００５５】
ボタン１２１及び２２１が押されていない場合には（ステップＳ１のＮＯルート参照）、判定部２４１は、ボタン１２１又は２２１が押されるまで、ステップＳ１の判定を繰り返す。
【００５６】
一方、ボタン１２１又は２２１が押された場合には（ステップＳ１のＹＥＳルート参照）、判定部２４１は、ＨＭＤ１側のディスプレイ１１が表示中であるかを判定する（ステップＳ２）。
【００５７】
ＨＭＤ１側のディスプレイ１１が表示中である場合には（ステップＳ２のＹＥＳルート参照）、第１制御部２４２は、ＨＭＤ１側の右目用ＬＣＤ１１１及び左目用ＬＣＤ１１２の表示をＯＦＦにする処理を実行する（ステップＳ３）。
【００５８】
第２制御部２４３は、ＨＨＤ２側のＬＣＤ２１１の表示をＯＮにする処理を実行する（ステップＳ４）。そして、処理は終了する。
【００５９】
ステップＳ２において、ＨＭＤ１側のディスプレイ１１が表示中でない場合には（ステップＳ２のＮＯルート参照）、第２制御部２４３は、ＨＨＤ２側のＬＣＤ２１１の表示をＯＦＦにする処理を実行する（ステップＳ５）。
【００６０】
第１制御部２４２は、ＨＭＤ１側の右目用ＬＣＤ１１１及び左目用ＬＣＤ１１２の表示をＯＮにする処理を実行する（ステップＳ６）。そして、処理は終了する。
【００６１】
〔Ａ−３〕効果
上述した実施形態の一例における表示システム１００によれば、例えば、以下のような効果を奏することができる。
【００６２】
判定部２４１は、ユーザ４からの切り替え要求が発生したかを判定する。第１制御部２４２は、判定部２４１によって切り替え要求が発生したと判定され、ＨＭＤ１において第１の映像が表示されている場合に、第１の映像を非表示にする。また、第２制御部２４３は、判定部２４１によって切り替え要求が発生したと判定され、ＨＨＤ２において第２の映像が非表示である場合に、第２の映像を表示する。
【００６３】
これにより、ＨＭＤ１の操作を容易にすることができる。具体的には、ＨＭＤ１のディスプレイ１１を非表示にすることにより、ユーザ４によるＨＨＤ２の操作のための視認性を向上できる。また、ユーザ４は、ＨＨＤ２のタッチパネル２１２を利用して、ＨＭＤ１の直感的な操作をすることができる。更に、騒音環境等の音声入力が困難な場所でも、ＨＨＤ２を用いたＨＭＤ１の操作ができる。
【００６４】
第１制御部２４２は、判定部２４１によって切り替え要求が発生したと判定され、ＨＭＤ１において第１の映像が非表示である場合に、第１の映像を表示する。一方、第２制御部２４３は、判定部２４１によって切り替え要求が発生したと判定され、ＨＨＤ２において第２の映像が表示されている場合に、第２の映像を非表示にする。
【００６５】
これにより、ＨＭＤ１の操作を容易にすることができる。具体的には、ＨＨＤ２を利用した操作が完了した場合に、ＨＭＤ１のディスプレイ１１の再表示を容易に行なうことができる。
【００６６】
第１制御部２４２及び第２制御部２４３は、第１の映像と第２の映像とを排他的に表示する。
【００６７】
これにより、ＨＨＤ２において第２の映像を表示している期間中はＨＭＤ１における第１の映像を非表示にでき、ユーザ４が右目用ＬＣＤ１１１及び左目用ＬＣＤ１１２越しに第２の映像を視認することができる。また、ＨＭＤ１において第１の映像を表示している期間中はユーザ４が視認することができないＨＨＤ２における第２の映像を非表示にでき、ＨＨＤ２における電力消費量を低減できる。
【００６８】
第１制御部２４２は、ＨＭＤ１のディスプレイ１１への給電を停止することにより、第１の映像を非表示にする。また、第２制御部２４３は、ＨＨＤ２のディスプレイ２１への給電を停止することにより、第２の映像を非表示にする。
【００６９】
これにより、映像が非表示中のＨＭＤ１又はＨＨＤ２における電力消費量をより低減できる。
【００７０】
ＨＭＤ１のボタン１２１，ＨＨＤ２のボタン２２１又はタッチパネル２１２は、ユーザ４からの入力を受け付ける。判定部２４１は、ＨＭＤ１のボタン１２１，ＨＨＤ２のボタン２２１又はタッチパネル２１２によって受け付けられた入力に基づき、切り替え要求が発生したかを判定する。
【００７１】
これにより、ＨＭＤ１のディスプレイ１１とＨＨＤ２のディスプレイ２１との表示の切り替えを容易に行なうことができる。切り替え要求がボタン１２１又は２２１によって受け付けられる場合には、ＨＭＤ１又はＨＨＤ２に表示されているコンテンツに依存せずユーザ４の任意のタイミングで、ＨＭＤ１及びＨＨＤ２における映像の表示を切り替えることができる。また、切り替え要求がタッチパネル２１２によって受け付けられる場合には、ＨＭＤ１からＨＨＤ２への表示の切り替えにおいて、ユーザ４がＨＭＤ１における映像によってＨＨＤ２を視認することができない。このような場合においても、ボタン１２１又は２２１よりも面積が広いタッチパネル２１２の任意の場所にユーザ４がタッチ入力を行なうことにより、ＨＭＤ１及びＨＨＤ２における映像の表示を容易に切り替えることができる。
【００７２】
〔Ｂ〕変形例
上述した実施形態の一例においてはＨＨＤ２が演算部２４を備え、ＨＨＤ２の演算部２４が表示システム１００の全体を制御することとしたが、これに限定されるものではない。ＨＨＤ２ではなく、ＨＭＤ１が演算部を備えてもよい。
【００７３】
図５は、変形例としての表示システム１００ａの機能構成を模式的に示す図である。
【００７４】
図５に例示する表示システム１００ａは、図２に示した表示システム１００とは異なり、ＨＭＤ１ａ及びＨＨＤ２ａを備える。なお、図２及び図５において、同一の符号は同様の部分を示しているため、その詳細な説明は省略する。
【００７５】
図５に示す例において、ＨＨＤ２ａは、ＬＣＤ２１１，タッチパネル２１２，ボタン制御部２２，複数（図示する例では、３つ）のボタン２２１及び通信制御部２３を備える。すなわち、図２に示したＨＨＤ２と比較して、図５に示すＨＨＤ２ａは、演算部２４が備えられていない。
【００７６】
図５に示す例において、ＬＣＤ２１１は、通信制御部２３から入力される信号に従って、映像を表示する。タッチパネル２１２は、受け付けたタッチ入力に係る信号を通信制御部２３へ入力する。ボタン制御部２２は、いずれかのボタン２２１に対して入力があった場合に、当該入力があったことを示す信号を通信制御部２３に受け渡す。通信制御部２３は、ＬＣＤ２１１に表示させる映像を含む情報をＨＭＤ１ａから受信し、受信した情報をＬＣＤ２１１に入力する。また、通信制御部２３は、ボタン２２１又はタッチパネル２１２へ入力があったことを示す信号をＨＭＤ１ａへ送信する。
【００７７】
図５に示す例において、ＨＭＤ１ａは、右目用ＬＣＤ１１１，左目用ＬＣＤ１１２，ボタン制御部１２，複数（図示する例では、３つ）のボタン１２１，通信制御部１３及び演算部１４を備える。すなわち、図２に示したＨＭＤ１と比較して、図５に示すＨＭＤ１ａは、演算部１４を備えている。
【００７８】
図５に示す例において、右目用ＬＣＤ１１１及び左目用ＬＣＤ１１２は、演算部１４から入力される信号に従って、映像を表示する。ボタン制御部１２は、いずれかのボタン１２１に対して入力があった場合に、当該入力があったことを示す信号を演算部１４に受け渡す。通信制御部１３は、ＨＨＤ２ａのＬＣＤ２１１に表示させる映像を含む情報をＨＨＤ２ａへ通信ケーブル３を介して送信する。また、通信制御部１３は、ＨＨＤ２ａのボタン２２１又はタッチパネル２１２へ入力があったことを示す信号をＨＨＤ２ａから受信し、受信した信号を演算部１４へ受け渡す。
【００７９】
ＨＭＤ１ａの演算部１４は、図３に示したＨＨＤ２の演算部２４と同様の機能を有する。すなわち、演算部１４は、判定部２４１，第１制御部２４２及び第２制御部２４３として機能する。
【００８０】
上述した変形例における表示システム１００ａによれば、実施形態の一例において奏することができる上述した効果の他、例えば、ＨＨＤ２ａにおける処理負荷を低減できるという効果を奏することができる。
【００８１】
〔Ｃ〕その他
開示の技術は上述した実施形態に限定されるものではなく、本実施形態の趣旨を逸脱しない範囲で種々変形して実施することができる。本実施形態の各構成及び各処理は、必要に応じて取捨選択することができ、あるいは適宜組み合わせてもよい。
【００８２】
例えば、図２に示したＨＨＤ２と図５に示したＨＭＤ１ａとが接続されてもよい。これにより、ＨＨＤ２及びＨＭＤ１ａにおいて演算部２４及び演算部１４をそれぞれ備えることとなり、ＨＨＤ２及びＨＭＤ１ａにおける処理負荷を分散できる。
【００８３】
〔Ｄ〕付記
以上の実施形態及び変形例に関し、さらに以下の付記を開示する。
【００８４】
（付記１）
第１の映像を表示可能なヘッドマウントディスプレイと、第２の映像を表示可能な操作端末と、を有する表示システムであって、
ユーザからの切り替え要求が発生したかを判定する判定部と、
前記判定部によって前記切り替え要求が発生したと判定され、前記ヘッドマウントディスプレイにおいて前記第１の映像が表示されている場合に、前記第１の映像を非表示にする第１制御部と、
前記判定部によって前記切り替え要求が発生したと判定され、前記操作端末において前記第２の映像が非表示である場合に、前記第２の映像を表示する第２制御部と、
を備える、表示システム。
【００８５】
（付記２）
前記第１制御部は、前記判定部によって前記切り替え要求が発生したと判定され、前記ヘッドマウントディスプレイにおいて前記第１の映像が非表示である場合に、前記第１の映像を表示し、
前記第２制御部は、前記判定部によって前記切り替え要求が発生したと判定され、前記操作端末において前記第２の映像が表示されている場合に、前記第２の映像を非表示にする、
付記１に記載の表示システム。
【００８６】
（付記３）
前記第１制御部及び前記第２制御部は、前記第１の映像と前記第２の映像とを排他的に表示する、
付記１又は２に記載の表示システム。
【００８７】
（付記４）
前記ヘッドマウントディスプレイは、前記第１の映像を表示可能な第１表示部を備え、
前記操作端末は、前記第２の映像を表示可能な第２表示部を備え、
前記第１制御部は、前記第１表示部への給電を停止することにより、前記第１の映像を非表示にし、
前記第２制御部は、前記第２表示部への給電を停止することにより、前記第２の映像を非表示にする、
付記２に記載の表示システム。
【００８８】
（付記５）
前記ユーザからの入力を受け付ける入力部を更に備え、
前記判定部は、前記入力部によって受け付けられた入力に基づき、前記切り替え要求が発生したかを判定する、
付記１〜４のいずれか１項に記載の表示システム。
【００８９】
（付記６）
第１の映像を表示可能なヘッドマウントディスプレイに接続される操作端末であって、
第２の映像を表示可能な表示部と、
ユーザからの切り替え要求が発生し、前記表示部において前記第２の映像が非表示である場合に、前記第２の映像を前記第１の映像とは排他的に前記表示部において表示する制御部と、
を備える、操作端末。
【００９０】
（付記７）
前記制御部は、前記切り替え要求が発生し、前記表示部において前記第２の映像が表示されている場合に、前記第２の映像を前記第１の映像とは排他的に前記表示部において非表示にする、
付記６に記載の操作端末。
【００９１】
（付記８）
前記制御部は、前記表示部への給電を停止することにより、前記第２の映像を非表示にする、
付記６又は７に記載の操作端末。
【００９２】
（付記９）
第２の映像を表示可能な操作端末に接続されるヘッドマウントディスプレイであって、
第１の映像を表示可能な表示部と、
ユーザからの切り替え要求が発生し、前記表示部において前記第１の映像が表示されている場合に、前記第１の映像を前記第２の映像とは排他的に前記表示部において非表示にする制御部と、
を備える、ヘッドマウントディスプレイ。
【００９３】
（付記１０）
前記制御部は、前記切り替え要求が発生し、前記表示部において前記第１の映像が非表示である場合に、前記第１の映像を前記第２の映像とは排他的に前記表示部において表示する、
付記９に記載のヘッドマウントディスプレイ。
【００９４】
（付記１１）
前記制御部は、前記表示部への給電を停止することにより、前記第１の映像を非表示にする、
付記９又は１０に記載のヘッドマウントディスプレイ。
【００９５】
（付記１２）
第１の映像を表示可能なヘッドマウントディスプレイと、第２の映像を表示可能な操作端末と、を有する表示システムに備えられるコンピュータに、
ユーザからの切り替え要求が発生したかを判定し、
前記切り替え要求が発生したと判定され、前記ヘッドマウントディスプレイにおいて前記第１の映像が表示されている場合に、前記第１の映像を非表示にし、
前記切り替え要求が発生したと判定され、前記操作端末において前記第２の映像が非表示である場合に、前記第２の映像を表示する、
処理を実行させる、表示制御プログラム。
【００９６】
（付記１３）
前記切り替え要求が発生したと判定され、前記ヘッドマウントディスプレイにおいて前記第１の映像が非表示である場合に、前記第１の映像を表示し、
前記切り替え要求が発生したと判定され、前記操作端末において前記第２の映像が表示されている場合に、前記第２の映像を非表示にする、
処理を前記コンピュータに実行させる、付記１２に記載の表示制御プログラム。
【００９７】
（付記１４）
前記第１の映像と前記第２の映像とを排他的に表示する、
処理を前記コンピュータに実行させる、付記１２又は１３に記載の表示制御プログラム。
【００９８】
（付記１５）
前記ヘッドマウントディスプレイは、前記第１の映像を表示可能な第１表示部を備え、
前記操作端末は、前記第２の映像を表示可能な第２表示部を備え、
前記第１表示部への給電を停止することにより、前記第１の映像を非表示にし、
前記第２表示部への給電を停止することにより、前記第２の映像を非表示にする、
処理を前記コンピュータに実行させる、付記１３に記載の表示制御プログラム。
【００９９】
（付記１６）
前記表示システムは、前記ユーザからの入力を受け付ける入力部を更に備え、
前記入力部によって受け付けられた入力に基づき、前記切り替え要求が発生したかを判定する、
処理を前記コンピュータに実行させる、付記１２〜１５のいずれか１項に記載の表示制御プログラム。
【０１００】
（付記１７）
第１の映像を表示可能なヘッドマウントディスプレイと、第２の映像を表示可能な操作端末と、を有する表示システムの制御方法であって、
ユーザからの切り替え要求が発生したかを判定し、
前記切り替え要求が発生したと判定され、前記ヘッドマウントディスプレイにおいて前記第１の映像が表示されている場合に、前記第１の映像を非表示にし、
前記切り替え要求が発生したと判定され、前記操作端末において前記第２の映像が非表示である場合に、前記第２の映像を表示する、
制御方法。。
【０１０１】
（付記１８）
前記切り替え要求が発生したと判定され、前記ヘッドマウントディスプレイにおいて前記第１の映像が非表示である場合に、前記第１の映像を表示し、
前記切り替え要求が発生したと判定され、前記操作端末において前記第２の映像が表示されている場合に、前記第２の映像を非表示にする、
付記１７に記載の制御方法。
【０１０２】
（付記１９）
前記第１の映像と前記第２の映像とを排他的に表示する、
付記１７又は１８に記載の制御方法。
【０１０３】
（付記２０）
前記ヘッドマウントディスプレイは、前記第１の映像を表示可能な第１表示部を備え、
前記操作端末は、前記第２の映像を表示可能な第２表示部を備え、
前記第１表示部への給電を停止することにより、前記第１の映像を非表示にし、
前記第２表示部への給電を停止することにより、前記第２の映像を非表示にする、
付記１８に記載の制御方法。
【符号の説明】
【０１０４】
１００    ：表示システム
１        ：ＨＭＤ
１１      ：ディスプレイ
１１１    ：右目用ＬＣＤ
１１２    ：左目用ＬＣＤ
１２      ：ボタン制御部
１２１    ：ボタン
１３      ：通信制御部
２        ：ＨＨＤ
２１      ：ディスプレイ
２１１    ：ＬＣＤ
２１２    ：タッチパネル
２２      ：ボタン制御部
２２１    ：ボタン
２３      ：通信制御部
２４      ：演算部
２４１    ：判定部
２４２    ：第１制御部
２４３    ：第２制御部
３        ：通信ケーブル
４        ：ユーザ
１００ａ  ：表示システム
１ａ      ：ＨＭＤ
１４      ：演算部
２ａ      ：ＨＨＤ
【図１】
2019074917.tif 000003
【図２】
2019074917.tif 000004
【図３】
2019074917.tif 000005
【図４】
2019074917.tif 000006
【図５】
2019074917.tif 000007